(57)【要約】【課題】  屋根の雪下ろし作業が効率的に実施できると共に、安全に行うことができる除雪具を提供する。【解決手段】  底板部１１と隣接二辺に第一壁面部１２及び第二壁面部１３を設けたバケット部１と、前記の壁面部の形成部分の外周に、基部を前記壁面部に連結固定すると共に適宜に外周側へ傾斜して立ち上げてなる縦側杆（第一縦側杆２１、角部縦側杆２２、第二縦側杆２３）、及び前記縦側杆の頂部に架設形成される横頂杆（第一横頂杆２４、第二横頂杆２５）を有する把手部２とで構成してなり、横頂杆の一方の辺部（第一横頂杆２４）を把握すると、バケット部の前方部分が開口しているので、そのまま積雪中に押入れてバケット部に積雪を掬い取り、バケット部の右側方が開口しているので、当該開口辺において掬い取った積雪を排出することができる。【選択図】  図１
2006200225.tif 000002
【特許請求の範囲】
【請求項１】
略矩形とした底板部、及び底板部の隣接二辺に設けた雪受け部を備えたバケット部と、前記の雪受け部を設けた辺部に、手押し把手部を設けてなることを特徴とする除雪具。
【請求項２】
手押し把手部が、雪受け部を形成する各辺部の端部近傍に基部を連結固定した縦側杆と、前記縦側杆の頂部に架設形成される横頂杆とで構成される請求項１記載の除雪具。
【請求項３】
雪受け部を形成する両辺部の中間に基部を連結固定した角部縦側杆を備えた請求項２記載の除雪具。
【請求項４】
雪受け部を、底板部と連続する壁面部で形成してなる請求項１乃至３記載の何れかの除雪具。
【請求項５】
雪受け部を、縦側杆間に架設した下横杆で形成してなる請求項１乃至３記載の何れかの除雪具。
【発明の詳細な説明】
【技術分野】
【０００１】
本発明は、主として屋根の雪下ろしに使用する除雪具に関するものである。
【背景技術】
【０００２】
除雪具としては、スコップタイプの器具の他、雪を一方に寄せるラッセルタイプの器具（特許文献１）と、雪を掬い取って、他所に運搬して廃棄するスノーダンプと称されている器具（特許文献２）が知られている。
【０００３】
屋根の積雪を取り除く雪下ろし作業においては、主として後者のスノーダンプと称されている器具が使用されている。このスノーダンプの基本的構造は、底面部、両側面部、背面部を有して前部が開口したバケット部と、左右両側杆と頂杆を備えた手押し把手部からなり、側杆をバケット部側面部に連結してなる。そして積雪をバケット部で掬い取り、排雪箇所でバケット部を起立状態とし、或いは前方に強くスノーダンプを送り出し、慣性力で掬い取ったバケット部内の雪をバケット部外に排出するものである。
【０００４】
【特許文献１】実開昭５７−１６０３１８号公報。
【特許文献２】登録実用新案第３０２６８５３号公報。
【発明の開示】
【発明が解決しようとする課題】
【０００５】
前記のスノーダンプによる屋根の雪下ろし作業に際して、図４（イ）に例示するように、崩れ易く足場として危険となる屋根Ａの軒先部分の積雪Ｂ１をスコップタイプの器具Ｃで除去し、そして屋根上の積雪Ｂ２をスノーダンプＤで順次屋根から下ろしていくものである。
【０００６】
前記のスノーダンプによる雪下ろし作業は、同図（ロ）に示すように積雪Ｂ２に対してバケット部を差し入れ、バケット部に雪を掬い取った後にスノーダンプを後退させ、更に雪の排出方向にバケット開口部を向けて、雪の排出を行うものである。
【０００７】
このように従前のスノーダンプによる雪下ろし作業は、スノーダンプによる雪の掬い取りのための前後動作と、排出のための方向変換動作と、雪の排出のための前後動作が必要である。しかも前記の動作は、傾斜面である屋根上であり、危険を伴うのでできるだけ動作が少なく済むほうが好ましいし、特に傾斜面での方向転換は多大な労力と危険を伴うものである。
【０００８】
そこで本発明は、屋根の雪下ろし作業を容易に行うことのできる新規な除雪具を提案したものである。
【課題を解決するための手段】
【０００９】
本発明に係る除雪具は、略矩形とした底板部、及び底板部の隣接二辺に設けた雪受け部を備えたバケット部と、前記の雪受け部を設けた辺部に、手押し把手部を設けてなることを特徴とするものである。
【００１０】
而して屋根の雪下ろしに際して、手押し把手部を把握し、バケット部の前方開口箇所（雪受け部を備えていない箇所）から積雪を掬い取り、バケット部の右側方（左側方）の開口箇所から掬い取った積雪を排出するものである。
【発明の効果】
【００１１】
本発明の除雪具の構成は上記のとおりであるから、前方の積雪を掬い取り、そのまま側方に排出できるもので、傾斜面である屋根上で除雪具を操作する動作を少なくすることができ、より安全な雪下ろし作業を可能としたものである。
【発明を実施するための最良の形態】
【００１２】
次に本発明の実施の形態について説明する。図１〜３は本発明の第一実施形態の除雪具を示したもので、この除雪具は、基本的にスノーダンプタイプであり、バケット部１と、手押し把手部２とで構成される。
【００１３】
バケット部１は、略矩形（好ましくは正方形）の底板部１１と、底板部１１の外周隣接二辺に底板部１１から立ち上げた形状に形成した雪受け部となる第一壁面部（右側壁面）１２、及び第二壁面部（左側壁面）１３で構成される。このバケット部１は金属板製でも硬質プラスチック製でも良い。
【００１４】
手押し把手部２は、縦側杆２１，２２，２３と横頂杆２４，２５で構成され、第一縦側杆２１はその基部が第一壁面部１２の右端近傍に連結固定され、角部縦側杆２２の基部は、第一壁面部１２と第二壁面部１３の境界箇所に連結固定され、第二縦側杆２３は、基部が第二壁面部１３の左端近傍に連結固定されると共に、各縦側杆２１，２２，２３は、適宜に外周側へ傾斜して立ち上げてなるものである。
【００１５】
尚各縦側杆２１，２２，２３の壁面部１２，１３との連結固定は、鋲結や溶接など適宜な手段が採用される。
【００１６】
第一横頂杆（右側横頂杆）２４は、第一縦側杆２１と角部縦側杆２２の頂部間に架設されるもので、第二横頂杆（左側横頂杆）２５は、角部縦側杆２２と第二縦側杆２３の頂部間に架設されるものである。
【００１７】
なお架設手段は、独立する各縦側杆２１，２２，２３の各頂部と溶接その他の手段で連結固定しても良いし、第一縦側杆２１、第一横頂杆２４、第二横頂杆２５、第二縦側杆２３を連続する１本の金属管で屈曲形成するようにしても良い。
【００１８】
次に前記除雪具の使用について説明する。屋根Ａからの雪下ろし作業は、本発明器具を使用する場合も、基本的には従前の作業と同様で、図４（イ）に例示するように、崩れ易く足場として危険となる軒先部分の積雪Ｂ１をスコップタイプの器具Ｃで除去し、そして屋根上の雪を順次本発明器具Ｅを使用して順次屋根から下ろしていくものである。
【００１９】
前記の雪下ろし作業は、例えば屋根Ａの右端部分の積雪Ｂ３を屋根の右側妻の外側に排出する場合には、第一横頂杆２４を握持し、屋根峰方向の積雪Ｂ３に向ってバケット部１を差し入れると（図４ハのＥ１の状態）、積雪Ｂ３は左側に位置する第二縦側杆２３で分断されると同時にバケット部１に掬い取られる。そこでそのまま除雪具Ｅを右側に傾けると、バケット部１の右側が開口しているので、掬い取った積雪Ｂ３は、そのまま屋根外に排出されることになる。
【００２０】
また積雪Ｂ２を屋根の裾側に排出する場合には、第二横頂杆２５を握持し、右側に位置する第一横頂杆２４を屋根峰側に位置させて（図４ハのＥ２の状態）、そのまま屋根の峰方向と平行に積雪Ｂ２に向ってバケット部１を差し入れると、積雪Ｂ２は屋根の峰側となる右側に位置する第一縦側杆２１で分断（所謂切り取りとなる）されると同時にバケット部１に掬い取られる。そしてそのまま除雪具Ｅを左側（屋根裾側）に移動することで、開口しているバケット部１の左側から、掬い取った積雪Ｂ２は、そのまま屋根裾外に排出されることになる。
【００２１】
従って本発明の除雪具は、握持する横頂杆を選択することで、前方部分で掬い取った積雪を、除雪具を回転させること無く、そのままの状態で左右何れかに傾けるか、或いは左右何れかの排出方向に移動して排出することができるもので、屋根の雪下ろし作業を効率的に且つ安全に行うことができたものである。
【００２２】
尚本発明は上記の第一実施形態に特定されるものではなく、種々の変更構造を採用できるものである。例えば図５，６に示すとおり、雪受け部は、第一壁面部１２および第二壁面部１３に変えて、底板部１１から適宜高さで、縦側杆２１，２２，２３間に架設した第一下横杆１４、第二下横杆１５で構成するようにしても良い。勿論その他網目板や格子杆を採用しても良い。
【００２３】
又手押し把手部においても、Ｌに形成した第一横頂杆２４と第二横頂杆２５に替えて一直線状の横頂杆２６としても良い。勿論杆体として金属パイプを使用しても良いし、板棒体を採用し、把握する箇所を持ちやすいように樹脂被覆を施しても良い。
【図面の簡単な説明】
【００２４】
【図１】本発明の第一実施形態の全体斜視図。
【図２】同平面図。
【図３】同正面図。
【図４】雪下ろし作業の説明図で（イ）は前作業（ロ）は従前器具による作業（ハ）は本発明器具の使用による作業を示す。
【図５】本発明の第二実施形態の全体斜視図。
【図６】同平面図。
【符号の説明】
【００２５】
１        バケット部
１１      底板部
１２      雪受け部：第一壁面部
１３      同：第二壁面部
１４      同：第一下横杆
１５      同：第二下横杆
２        手押し把手部
２１      第一縦側杆
２２      角部縦側杆
２３      第二縦側杆
２４      第一横頂杆
２５      第二横頂杆
２６      横頂杆
【図１】
2006200225.tif 000003
【図２】
2006200225.tif 000004
【図３】
2006200225.tif 000005
【図４】
2006200225.tif 000006
【図５】
2006200225.tif 000007
【図６】
2006200225.tif 000008